(57)【要約】【課題】  簡素な構造でかつ活発な行動を受けても防水性能を維持することができる防犯ブザーを提供する。【解決手段】  防犯ブザー１は、下方を開口して周囲に側壁１２を有する上ケース２と、上方を開口して周囲に側壁２４を有する下ケース３と、これら上ケース２と下ケース３とに収納されるスピーカ５０を含む収納物６と、水密構造を形成する防水部材４と、押し操作により操作する操作部５とからなる。防水部材４の水密構造は、上ケース２の側壁１２と下ケース３の側壁２４との先端で挟まれるパッキン部３１と、上ケース２の側壁１２及び下ケース３の側壁２４の外面に密接する覆う周壁部３２と、上ケース２の側壁１２及び下ケース３の側壁２４の内面に密接する内壁部３３とからなる。これにより、防犯ブザー１は簡素な構造でかつ活発な行動を受けても防水性能を維持することができる。【選択図】  図１
2019101063.tif 000002
【特許請求の範囲】
【請求項１】
下方を開口して周囲に側壁を有する上ケースと、上方を開口して周囲に側壁を有する下ケースと、これら上ケースと下ケースとに収納されるスピーカを含む収納物と、水密構造を形成する防水部材と、押し操作により操作する操作部とからなり、
前記防水部材の水密構造は、前記上ケースの側壁と下ケースの側壁との先端で挟まれるパッキン部と、前記上ケースの側壁及び前記下ケースの側壁の外面に密接する周壁部と、前記上ケースの側壁及び前記下ケースの側壁の内面に密接する内壁部とからなることを特徴とする防犯ブザー。
【請求項２】
上ケースは内部にネジ受け孔を備え、下ケースは内部に前記ネジ受け孔に連通する位置に連通孔を備え、前記ネジ受け孔及び連通孔に螺入するネジにより前記上ケースと前記下ケースとを固定するものであって、
前記ネジ受け孔を形成するネジ孔形成壁と、前記連通孔を形成する連通孔形成壁と間にＯリングを配置することを特徴とする請求項１に記載の防犯ブザー。
【請求項３】
スピーカの操作部は、上ケース及び／又は下ケースの側壁に配置されるものであって、
防水部材の周壁部がスイッチを覆うことを特徴とする請求項１または２のいずれかに記載の防犯ブザー。
【請求項４】
スピーカの操作部は、一方の側壁と、この一方の側壁と対向する面の側壁に形成されることを特徴とする請求項３に記載の防犯ブザー。
【請求項５】
上ケースは、スピーカの音を外部に導出する導音孔を天井部に有し、
前記導音孔の上方を覆う蓋と、この蓋と前記天井部との間に空間を形成する空間部材とを備え、
前記スピーカで前記導音孔の下方を覆い、このスピーカの上面外縁全周を前記天井部の前記導音孔の周囲に接着固定することを特徴する請求項１、２、３または４のいずれかに記載の防犯ブザー。
【請求項６】
下ケースの底面両側方に配置する保持部材であって、
この保持部材は、前記下ケースの底面の前側と後側から外方かつ下向きに延長し、平面視において底面の両側より外方で前記延長した部分を連結した略コの字状体であることを特徴とする請求項１、２、３、４または５のいずれかに記載の防犯ブザー。
【請求項７】
保持部材に挿通するベルトであって、
このベルトの一方端には係止部が、このベルトのもう一方端には複数の被係止部がベルトの長手方向に沿って配置されることを特徴とする請求項６に記載の防犯ブザー。
【発明の詳細な説明】
【技術分野】
【０００１】
本発明は、防水性能を有する防犯ブザーに関する。
【背景技術】
【０００２】
防犯ブザーを付けた子供などは、雨天での登下校や、水遊びなどにより予期せぬ水没などで水に濡れることがある。この水濡れにより故障すると、緊急時に動作しなくなり、防犯ブザーとして役に立たなくなる。このため、防水性能を有する防犯ブザーが望まれる。このような防水防犯ブザーとしては、例えば、特許文献１に示すように、生活防水性能を達成した携帯用防犯ブザーが知られている。この携帯用防犯ブザーは、上ケースと下ケースとの間にシール部材を挟んで合わせ、４つのネジにより上ケースと下ケースとを結合するなどで、ブザー本体に防水性能を持たせている。
【先行技術文献】
【特許文献】
【０００３】
【特許文献１】特許４２０６４１１号公報
【発明の概要】
【発明が解決しようとする課題】
【０００４】
特許文献１に示す防犯ブザーでは、スイッチピンを引き抜くことで警報音を発しているため、スイッチピンを紛失したり、スイッチピンが引っ掛かり予期せず抜けて誤動作（鳴動）したりすることがある。また、スイッチピンを引き抜くため、スイッチピンを取り付けるスイッチ穴やスイッチピンの引き抜きを検知するこの穴内で動作する部材などを有している。この種の防犯ブザーで十分な防水性能を発揮するには、このスイッチ穴や動作する部材により構造が煩雑なものになってしまう。また、この種の防犯ブザーは日本工業規格ＪＩＳ  Ｃ０９２０：２００３（ＩＥＣ  ６０５２９：２００１）における防水等級３等級（防雨形）相当程度、すなわち生活防水程度の防水性能である。そのため、子供が防犯ブザーを気にせず活発に行動して、例えば防犯ブザーが水没すると、挟み込んだシール部材だけでは防水性能が不足して、内部に水が浸入して機能に支障を生じることがある。
【０００５】
本願は、簡素な構造でかつ活発な行動を受けても防水性能を維持することができるもので、なおかつ防水等級７等級相当程度の防水性能をもった防犯ブザーを提供することを目的とする。
【課題を解決するための手段】
【０００６】
本発明の防犯ブザーは、上記課題に鑑み、下方を開口して周囲に側壁を有する上ケースと、上方を開口して周囲に側壁を有する下ケースと、これら上ケースと下ケースとに収納されるスピーカを含む収納物と、水密構造を形成する防水部材と、押し操作により操作する操作部とからなり、前記防水部材の水密構造は、前記上ケースの側壁と下ケースの側壁との先端で挟まれるパッキン部と、前記上ケースの側壁及び前記下ケースの側壁の外面に密接する周壁部と、前記上ケースの側壁及び前記下ケースの側壁の内面に密接する内壁部とからなることを特徴とする。
【０００７】
また、上述した構成に加え、上ケースは内部にネジ受け孔を備え、下ケースは内部に前記ネジ受け孔に連通する位置に連通孔を備え、前記ネジ受け孔及び連通孔に螺入するネジにより前記上ケースと前記下ケースとを固定するものであって、前記ネジ受け孔を形成するネジ孔形成壁と、前記連通孔を形成する連通孔形成壁と間にＯリングを配置することが好ましい。
【０００８】
また、上述した構成に加え、スピーカの操作部は、上ケース及び／又は下ケースの側壁に配置されるものであって、防水部材の周壁部がスイッチを覆うことが好ましい。
【０００９】
また、上述した構成に加え、スピーカの操作部は、一方の側壁と、該一方の側壁と対向する面の側壁に形成されることが好ましい。
【００１０】
また、上述した構成に加え、上ケースは、スピーカの音を外部に導出する導音孔を天井部に有し、前記導音孔の上方を覆う蓋と、この蓋と前記天井部との間に空間を形成する空間部材とを備え、前記スピーカで前記導音孔の下方を覆い、このスピーカの上面外縁全周を前記天井部の前記導音孔の周囲に接着固定することが好ましい。
【００１１】
また、上述した構成に加え、下ケースの底面両側方に配置する保持部材であって、この保持部材は、前記下ケースの底面の前側と後側から外方かつ下向きに延長し、平面視において底面の両側より外方で前記延長した部分を連結した略コの字状体であることが好ましい。
【００１２】
また、上述した構成に加え、保持部材に挿通するベルトであって、このベルトの一方端には係止部が、このベルトのもう一方端には複数の被係止部がベルトの長手方向に沿って配置されることが好ましい。
【発明の効果】
【００１３】
本発明は、請求項１に記載の発明により、引き抜きピンなどを廃して押し操作の操作部とし、防水部材をパッキン部、周壁部、内壁部からなる構成とすることで、水密構造を簡素に形成することができる。さらに、防水部材と上ケース及び下ケースとの接触面積を広くして、活発な行動を受けても防水性能を維持することができ、防水性能を防水等級７等級（耐浸形）相当の防水性能を備えた防犯ブザーを提供することができる。
【００１４】
また、請求項２に記載の発明により、パッキン部の圧縮（挟み込み）により生じる上下寸法の変化にＯリングの圧縮変形で対応しつつ、ネジ受け孔及び連通孔の周辺に水密構造を形成することができる。
【００１５】
また、請求項３に記載の発明により、ケース本体の水密構造に加えて、作動に関するスイッチの水密構造を簡素に形成することができる。
【００１６】
また、請求項４に記載の発明により、操作部を２つ有することで、１つの操作部の操作でスピーカが動作するものよりも子供の行動などによる予期せぬ誤動作（鳴動）を防ぐことができる。
【００１７】
また、請求項５に記載の発明により、スピーカの音を安定して外部に放出可能に保持しつつ、スピーカよりも内部への水の浸入を防ぐことができる。
【００１８】
また、請求項６、７に記載の発明により、防犯ブザーにベルトを挿通し、そのループ径を調整でき、ランドセルの肩紐などの薄いものに巻き付けた状態の他に、腕などの身体や太いものに巻き付けた状態などの取り付け用途を増やすことができる。さらに、腕などの身体に直接巻き付けることで、ランドセルを所持していない状態などでも子供が着用して危険を知らせることができる。
【図面の簡単な説明】
【００１９】
【図１】本発明の実施形態に係る防犯ブザーの一例を示す斜視図である。
【図２】図１の防犯ブザーの背面図である。
【図３】図１の防犯ブザーの底面図である。
【図４】図１の防犯ブザーの側面図である。
【図５】図３の防犯ブザーのＡ−Ａ線断面図である。
【図６】図３の防犯ブザーのＢ−Ｂ線断面図である。
【図７】図３の防犯ブザーのＣ−Ｃ線断面図である。
【図８】図２の防犯ブザーの第２保持部周辺の背面図であり、（ａ）が薄いものに好適なベルトの状態、（ｂ）が太いものに好適なベルトの状態である。
【図９】防犯ブザーに取り付けるベルトの斜視図である。
【発明を実施するための形態】
【００２０】
本発明の実施形態について図面に基づいて詳細に説明する。なお、上ケース、下ケースなどの上下方向や前後方向は説明の便宜上のものであり、使用状態の上下や前後を特定したり限定したりするものではない。
【００２１】
図１から図４に示すように、防犯ブザー１は、下方に開口した上ケース２及び上方に開口した下ケース３によるケースと、その側面に密接する防水部材４とからなるもので、詳細は後述するが防水部材４により日本工業規格ＪＩＳ  Ｃ０９２０：２００３（ＩＥＣ  ６０５２９：２００１）の防水等級７等級（耐浸形）相当の防水性能（所謂完全防水）を有している。防犯ブザー１の中央側面の両側にはボタン式の操作部５、５が配置され、この操作部５、５も防水部材４により覆われる。上ケース２及び下ケース３によるケースの内部には、円盤状のスピーカ５０と、２つのスイッチ５１、５１と、基板５２と、電池ボックス５３などからなる収納物６が配置され（図５から図７参照）、操作部５、５を操作することにより（ボタンをプッシュすることにより）、スピーカ５０から防犯用のブザー音が鳴る。
【００２２】
図１から図４に示すように、上ケース２と下ケース３とは接合して一つのケースとした状態では、平面視において中央が凹んだ瓢箪型であり、当該凹んだ部分に操作部５、５が配置される。本実施形態においては、２つの操作部５、５の両方を操作することにより、ブザー音が鳴ることとしている。これは誤動作を防ぐためであり、その他の形態として、２つではなく、１つの操作部５としていてもよい。
【００２３】
図６に示すように、上ケース２は、瓢箪型の天井部１１と、この天井部１１の全周端から下方に延設された環状の側壁１２とからなる。下ケース３は、底部２３と、底部２３の全周端から上方に延設された環状の側壁２４とからなる。上ケース２の側壁１２と下ケース３の側壁２４とは、一つのケースとした状態で所定の隙間を介してその先端が上下に対向する。
【００２４】
上ケース２の側壁１２の先端（下端）には、その厚さ方向の中央位置で突出する第１突起２１を有している。第１突起２１は側壁１２の全周に亘って形成されている。同じく、下ケース３の側壁２４はその先端（上端）の厚さ方向の中央位置に第２突起２５を有している。第１突起２１と第２突起２５とは同じく上ケース２の側壁１２、下ケース３の側壁２４の全周に亘って形成されており、互いに対向する。
【００２５】
なお、図２に示すように、防犯ブザー１は上ケース２の側壁１２に第１保持部１９が形成され、これによりフックなどを介して鞄などに取り付けることができる。図５に示すように、上ケース２の側壁１２のうち第１保持部１９を設けた部位は、他の部位よりも下方に突出し、第１保持部１９よりも下方に先端(下端)が位置する。
【００２６】
図６に示すように、上ケース２の側壁１２と下ケース３の側壁２４との接合部分（対向部位）に防水部材４を配置する。防水部材４は例えばシリコンやエラストマーなどの防水材料からなる。防水部材４は、上ケース２の側壁１２と下ケース３の側壁２４とからなるケースの側面全体に密接するとともに、ケースの側面全体を覆うことで衝撃を緩和している。
【００２７】
防水部材４は、パッキン部３１と周壁部３２と内壁部３３とからなり、これらの位置関係は断面が略Ｈの字状となる。パッキン部３１は上ケース２の側壁１２の先端と下ケース３の側壁２４の先端との間で挟まれる部分であり、第１突起２１と第２突起２５により、高い水密性を保持するようにしている。
【００２８】
周壁部３２は、上ケース２の側壁１２及び下ケース３の側壁２４の外面に密接する。この密接とは強固に接するように位置することを指し、外部からの水の侵入を防ぎ、水密性を高める。また、内壁部３３は上ケース２の側壁１２及び下ケース３の側壁２４の内面に密接しており、より水密性を高める効果を有する。
【００２９】
防犯ブザー１は、防水部材４を介して上ケース２及び下ケース３で挟み込むことで、高い防水性能を発揮している。さらに、パッキン部３１の上下端部に水が浸入しても、第１突起２１や第２突起２５などにより水の侵入を抑制することができる。なお、パッキン部３１には第１突起２１及び第２突起２５に対応する溝を有していてもよい。この第１突起２１及び第２突起２５を嵌め込む溝をパッキン部３１に設けることで、上ケース２の側壁１２及び下ケース３の側壁２４に対してパッキン部３１を位置決めして取り付けることができる。
【００３０】
周壁部３２はケース側面全周（側壁１２、２４外面全周）に亘って一体に形成されている。周壁部３２の外表面には、滑り止めの凹凸を有することが好ましく、本例では、図１に示すように、等間隔で並ぶ複数のディンプル３７を所定の間隔で複数個所に設けている。
【００３１】
また、本実施形態の周壁部３２は、ケース側面全体に密接し、その全周を渡っているだけでなく、上ケース２の天井部１１と側壁１２との間、下ケース３の底部２３と側壁２４との間の湾曲部分を覆う周壁延長部３６、３６がある。この周壁延長部３６、３６により、より水密性の高い防犯ブザー１を提供することができる。
【００３２】
図７に示すように、操作部５、５は、内部のスイッチ５１、５１に内壁部３３が接触するように防水部材４が配置される。この操作部５、５周辺では、上ケース２の側壁１２の先端と、下ケース３の側壁２４の先端との間が広く形成されるように開放され、パッキン部３１が大きく形成される。これにより、操作部５、５は面で押すことができ、確実にプッシュできるようにするとともに、スイッチ５１、５１が防水部材４に覆われ、より高い水密性を維持することができる。
【００３３】
また、図１に示すように、周壁部３２の外面には操作部５の周囲を囲う環状凸部３８を第１の目印として有している。環状凸部３８は操作部５と同心かつ大径の円環状であり、操作部５及び環状凸部３８は周壁部３２より外方に突出している。さらに、上ケース３側を覆う周壁延長部３６の操作部５の上方に位置する部位周辺には、等間隔で並ぶ複数の凸部３９を第２の目印として設けている。なお、本実施形態では両操作部５、５を同時に押したときに作動し（スピーカ５０がオンになり）、もう一度押したときに作動を停止する（スピーカ５０がオフになる）ものである。
【００３４】
防犯ブザー１は、押し操作による操作部５を用いることで、操作部５の紛失を防止するとともに、ピンを引き抜くものよりも操作部５及び周囲を容易に簡素な水密構造にすることができる。さらに操作部５を防水部材４が兼ねることで、操作部５の水密構造をより簡素かつ容易にしている。２つの操作部５、５を共に操作することでスピーカ５０の動作を切り替えるため、１つの操作部の操作でスピーカが動作するものよりも子供の行動などによる予期せぬ誤動作（鳴動）を防ぐことができる。
【００３５】
上ケース２と下ケース３との固定及びこの固定部分の防水構造について、図６により説明する。上ケース２は、天井部１１から下方（内部）に突出する複数のネジ受け孔２７を備える。このネジ受け孔２７はネジ受け孔形成壁２７ａにより形成される。同じく、下ケース３は底部２３のネジ受け孔２７と上下に並ぶ位置それぞれに連通孔２８を備え、この連通孔２８は連通孔形成壁２８ａにより形成される。上ケース２と下ケース３とは、ネジ２９を螺入して取り付けることで固定している。ネジ受け孔形成壁２７ａと連通孔形成壁２８ａとの間に同心のＯリング９を配置して、挟み込んでいる。Ｏリング９は例えばシリコンやエラストマーなどの防水材料からなる。本実施形態の連通孔形成壁２８ａは、互いに突出した部分を有し、Ｏリング９を配置する部分ではなく、その対向する部分ではネジ２９のネジ頭を配置できるようにしている。
【００３６】
防犯ブザー１は、ネジ受け孔形成壁２７ａと連通孔形成壁２８ａとの間に同心のＯリング９を配置することで、パッキン部３１の圧縮（挟み込み）により生じる上下寸法の変化にＯリング９の圧縮変形で対応しつつ、ネジ受け孔２７及び連通孔２８の周辺に水密構造を形成している。
【００３７】
防犯ブザー１の内部構造について説明する。上ケース２の天井部１１は、円形状の上凹所１４と、上凹所１４と同心かつ小径の上突起１５と、上突起１５と同心かつ小径で円形状の導音孔１３とを上面に有し、導音孔１３からスピーカ５０の音（ブザー音）を外部に導出する。
【００３８】
上凹所１４の中央には、導音孔１３と同心かつ大径で円形状の凸部２２が上方に突出し、上凹所１４の上方には、導音孔１３を上方から覆う蓋８が取り付けられ、凸部２２の周囲には、蓋８と天井部１１との間に空間を形成する空間部材７が取り付けられる。さらに、上凹所１４は、図５及び６に示すように、凸部２２から外周に突出し空間部材７を位置決め保持する複数の突出部２２ａと、蓋８を位置決め保持する複数の挿通孔１６とを有する。本例では、３つの突出部２２ａが導音孔１３と同心の周方向に等間隔で凸部２２の外周に並び、３つの挿通孔１６が導音孔１３と同心の周方向に等間隔で突出部２２ａよりも外周かつ突出部２２ａからこの周方向にずれた位置で並ぶ。
【００３９】
空間部材７は例えばシリコンやエラストマーなどの防水材料からなる。空間部材７は、導音孔１３と同心の貫通孔４２を有する円盤部４０と、貫通孔４２よりも外周の円盤部４０の外周端から上方に立ち上がる壁部４１とからなる。貫通孔４２は凸部２２及び突出部２２ａに嵌る形状であり、壁部４１は下方に開口した溝４３を有する。空間部材７は、貫通孔４２が凸部２２などに嵌り、溝４３に上突起１５が嵌ることで、上凹所１４内に位置決め保持されて上ケース２に取り付けられる。また、円盤部４０は、挿通孔１６と重なる位置に貫通孔４８を有し、貫通孔４８は壁部４１よりも内周に位置する。
【００４０】
蓋８は、導音孔１３の上方を覆う円形の天板４４と、天板４４の外周端全周に沿って下方に突出する環状壁４６と、環状壁４６の下端から下方に突出する取付部４５と、天板４４から環状壁４６よりも下方に突出し凸部２２に当接する複数の足４７とからなる。足４７は天板４４の周方向に所定の間隔で並び、蓋８はこれら足４７により環状壁４６と円盤部４０及び導音孔１３（凸部２２）との間に導音用の隙間を有して位置決めされている。
【００４１】
取付部４５は環状壁４６の周方向に等間隔で３つ並び、下端に爪４５ａを有する。取付部４５は、貫通孔４８及び挿通孔１６を貫通し円盤部４０により水密状態に保持された状態で爪４５ａを天井部１１の内面（下面）に係止している。すなわち、蓋８は空間部材７により密着性を高めて上ケース２に固定される。
【００４２】
天井部１１は、導音孔１３と同心かつ大径で円環状の下突起１７を下方に突出して有する。下突起１７は、その下端内周に円環状の段部１８を有し、段部１８に円盤状のスピーカ５０（振動板）の上面外縁５０ａ全周を接着固定している。
【００４３】
防犯ブザー１は、スピーカ５０と導音孔１３との上下の間に導音用の隙間を形成してスピーカ５０で導音孔１３の下方を覆い、スピーカ５０の上面と下突起１７との間を水密構造にすることで、スピーカ５０の音を安定して外部に放出可能に保持しつつ、スピーカ５０よりも内部の浸水を防いでいる。
【００４４】
下ケース３は、図３に示すように、底部２３に第２保持部５５、５５（保持部材）を２つ有する。第２保持部５５、５５は、底部２３の前側、後側となる所定位置から外方に延長する。具体的には、ネジ受け孔２７、２７の位置から外方かつ若干下向きへ延長したうえで、これらを連結した略コの字状に形成される。この連結は正面視において、下ケース３の外方の位置で連結される。本実施形態において、両側方に凹みがあり、当該位置に操作部５、５が配置されているため、この操作部５、５の外方であり、やや下方側で連結された状態となる。
【００４５】
第２保持部５５、５５と下ケース３との間に通すベルト５６を示す。ベルト５６は、図８及び９に示すように、帯状のものであり、一方の表面の一端側に係止部６０を配置し、裏面のもう一方端側に第１被係止部５８と、その第１被係止部５８から所定間隔の折り返し部５７を空けて係止部６０側に並んで配置される第２被係止部５９がある。本実施形態における第１被係止部５８、第２被係止部５９、係止部６０は面ファスナーであり、自由に着脱することができる。この第２保持部５５、５５が下ケース３から外方かつ下方に延長するように配置されており、後述するベルト５６を挿通しない場合では、防犯ブザー１の台脚としても利用することができる。
【００４６】
図８に示すように、両第２保持部５５、５５と下ケース３との間にベルト５６を挿通し、係止部６０と第１被係止部５８若しくは第２被係止部５９とを係止させることで、ベルト５６をループ状に固定することができる。つまり、図８（ａ）に示すように、ベルト５６を第２保持部５５、５５に挿通し、第１被係止部５８と第２被係止部５９との間の折り返し部５７で折り返して、係止部６０を第２被係止部５９に係止することでループ状にする。この場合、ベルト５６によりループ状になったループ径は比較的小さく、使用者の鞄やランドセルなどに取り付けることができる。また、図８（ｂ）に示すように、ベルト５６を折り返し部５７で折り返さず、係止部６０を第１被係止部５８に係止することで比較的大きいループとすることができ、使用者の腕に腕時計のように取り付けることができる。
【００４７】
防犯ブザー１は、ランドセルの肩紐などの薄いものに巻き付けることに好適な狭いループ状態（第２被係止部５９による係止）と、腕などの太いものに巻き付けることに好適な広いループ状態（第１被係止部５８による係止）などとに取り付け用途を選択的に切り替えて用いることができる。さらに、第１被係止部５８と第２被係止部５９とを離したことで、この間の折り返し部５７で折り返して第２被係止部５９に係止部６０を取り付けることでき、子供でも容易に肩紐などに巻き付けて、腕と肩紐などとに取り付け状態を切り替えることができる。さらに、腕などの身体に直接巻き付けることで、ランドセルを所持していない状態などでも子供が着用して危険を知らせることができる。
【符号の説明】
【００４８】
１…防犯ブザー、２…上ケース、３…下ケース、４…防水部材、５…操作部、６…収納物、７…空間部材、８…蓋、９…Ｏリング、１１…天井部、１２、２４…側壁、１３…導音孔、２３…底部、２７…ネジ受け孔、２７ａ…ネジ受け孔形成壁、２８…連通孔、２８ａ…連通孔形成壁、２９…ネジ、３１…パッキン部、３２…周壁部、３３…内壁部、５０…スピーカ、５０ａ…上面外縁、５１…スイッチ、５５…第２保持部（保持部材）、５６…ベルト、５８…第１被係止部、５９…第２被係止部、６０…係止部。
【図１】
2019101063.tif 000003
【図２】
2019101063.tif 000004
【図３】
2019101063.tif 000005
【図４】
2019101063.tif 000006
【図５】
2019101063.tif 000007
【図６】
2019101063.tif 000008
【図７】
2019101063.tif 000009
【図８】
2019101063.tif 000010
【図９】
2019101063.tif 000011